(57)【要約】【課題】マット状物を交換することなくより簡単に模様替えを行うことができるとともに、好適にマット状物を保護することができる新規なマットカバーを提供する。【解決手段】マット状物Ｍを被覆することができる大きさの平面部１２を有するカバー本体１１と、前記カバー本体裏面の辺縁に沿って全周に亘って形成された複数のスカート部２０Ａ，２０Ｂ，２０Ｃ，２０Ｄとを備えたマットカバー１０であって、前記複数の各スカート部は一定の方向に順に重ねられていて、隣接する他のスカート部とは一側の端部２１が上側に他側の端部が下側２２となるように両端部が重合部２５として配設されているとともに、前記各スカート部はその外周側の側端部２６は少なくとも前記重合部が縫着されており、各スカート部の内周側の側端部２７は前記重合部を含み開放されている。【選択図】図１
0003109492.tif 000002
【実用新案登録請求の範囲】
【請求項１】
マット状物（Ｍ）を被覆することができる大きさの平面部（１２）を有するカバー本体（１１）と、前記カバー本体裏面の辺縁に沿って全周に亘って形成された複数のスカート部（２０Ａ，２０Ｂ，２０Ｃ，２０Ｄ）とを備えたマットカバー（１０）であって、
前記複数の各スカート部は一定の方向に順に重ねられていて、隣接する他のスカート部とは一側の端部（２１）が上側に他側の端部が下側（２２）となるように両端部が重合部（２５）として配設されているとともに、前記各スカート部はその外周側の側端部（２６）は少なくとも前記重合部が縫着されており、各スカート部の内周側の側端部（２７）は前記重合部を含み開放されていることを特徴とするマットカバー。
【請求項２】
前記カバー本体の前記平面部表面には、その辺縁に沿って全周に亘って枠部が配設され、該枠部と前記平面部と前記各スカート部とが外周側の側端部で一体に縫着された請求項１に記載のマットカバー。
【請求項３】
前記カバー本体と前記各スカート部が一体である請求項１に記載のマットカバー。
【請求項４】
前記カバー本体の裏面に滑り止め部を形成した請求項１ないし３のいずれか１項に記載のマットカバー。
【考案の詳細な説明】
【技術分野】
【０００１】
本考案は、絨毯や座布団等のマット状物を被覆するマットカバーに関する。
【背景技術】
【０００２】
一般に、台所や居間等の各居住空間には、フローリングの床や畳等に傷や汚れがつかないように保護したり、足音や家具等の移動時の騒音等を防止するために、絨毯等のマット状物を敷くことがある。このように、マット状物を居間等に敷く場合、単に床の保護や防音を目的とするだけでなく、例えば、季節感や室内の雰囲気、居住者の趣向等に応じて色彩や意匠等に凝ったマット状物が敷かれる。
【０００３】
ところで、室内の模様替えを行う場合には、例えば、絨毯等のマット状物を薄手のものから厚手のものに取り替えたり、季節感にあった色彩のものに取り替える等、それぞれの目的に合わせて適宜他のマット状物と交換される。しかしながら、マット状物の交換作業は、敷設されているマット状物を一旦敷設場所から移動させ、その後、他のマット状物を改めて敷き直す必要があるため、非常に手間がかかってしまう。また、前記マット状物を長期的に使用した場合には、家具等の重みによってマット状物表面が傷んでしまったり、汚れが目立つようになる等、外観的に好ましくない状態になることがある。
【０００４】
これに対して、近年では、上記マット状物の表面に別途シーツ等を敷いたり、カバー等で被覆することによって、模様替えやマット状物の保護が行われている。そこで、本考案者は、マット状物を交換することなくより簡単に模様替えを行うことができるとともに、マット状物の汚れや傷みを防止することができる新規なマットカバーを考案した。
【考案の開示】
【考案が解決しようとする課題】
【０００５】
本考案は前記の点に鑑みなされたものであり、マット状物を交換することなくより簡単に模様替えを行うことができるとともに、好適にマット状物を保護することができる新規なマットカバーを提供するものである。
【課題を解決するための手段】
【０００６】
すなわち、請求項１の考案は、マット状物（Ｍ）を被覆することができる大きさの平面部（１２）を有するカバー本体（１１）と、前記カバー本体裏面の辺縁に沿って全周に亘って形成された複数のスカート部（２０Ａ，２０Ｂ，２０Ｃ，２０Ｄ）とを備えたマットカバー（１０）であって、前記複数の各スカート部は一定の方向に順に重ねられていて、隣接する他のスカート部とは一側の端部（２１）が上側に他側の端部が下側（２２）となるように両端部が重合部（２５）として配設されているとともに、前記各スカート部はその外周側の側端部（２６）は少なくとも前記重合部が縫着されており、各スカート部の内周側の側端部（２７）は前記重合部を含み開放されていることを特徴とするマットカバーに係る。
【０００７】
請求項２の考案は、前記カバー本体の前記平面部表面には、その辺縁に沿って全周に亘って枠部が配設され、該枠部と前記平面部と前記各スカート部とが外周側の側端部で一体に縫着された請求項１に記載のマットカバーに係る。
【０００８】
請求項３の考案は、前記カバー本体と前記各スカート部が一体である請求項１に記載のマットカバーに係る。
【０００９】
請求項４の考案は、前記カバー本体の裏面に滑り止め部を形成した請求項１ないし３のいずれか１項に記載のマットカバーに係る。
【考案の効果】
【００１０】
請求項１の考案に係るマットカバーによれば、マット状物を被覆することができる大きさの平面部を有するカバー本体と、前記カバー本体裏面の辺縁に沿って全周に亘って形成された複数のスカート部とを備えているので、マット状物の表面を完全に被覆することができ、汚れや傷み等から該マット状物を好適に保護することができる。
【００１１】
また、このマットカバーでは、前記複数の各スカート部は一定の方向に順に重ねられていて、隣接する他のスカート部とは一側の端部が上側に他側の端部が下側となるように両端部が重合部として配設されているとともに、前記各スカート部はその外周側の側端部は少なくとも前記重合部が縫着されており、各スカート部の内周側の側端部は前記重合部を含み開放されているため、当該マットカバーが被覆するマット状物の厚さに関係なく好適に被覆することができるとともに、マット状物を移動させることなく極めて簡単に当該マットカバーを被覆させることができる。したがって、マット状物を交換することなく極めて簡単に模様替えを実施することができる。
【００１２】
請求項２の考案によれば、請求項１において、前記カバー本体の前記平面部表面には、その辺縁に沿って全周に亘って枠部が配設され、該枠部と前記平面部と前記各スカート部とが外周側の側端部で一体に縫着されたものであるため、前記枠部や各スカート部を、前記平面部と異なる材質や色彩で形成することができ、意匠形状に凝ったマットカバーを容易に提供することができる。
【００１３】
請求項３の考案によれば、請求項１において、前記カバー本体と前記各スカート部が一体であるため、容易に製造することができるとともに、製造コストの低減を図ることができ、さらに、縫着作業を簡略化することができて作業効率が向上する。
【００１４】
請求項４の考案によれば、請求項１ないし３において、前記カバー本体の裏面に滑り止め部を形成したため、被覆したマット状物から当該マットカバーがずれにくくなり、長期間使用しても外観を損なうことなく好適に使用することができる。
【考案を実施するための最良の形態】
【００１５】
以下添付の図面に従ってこの考案を詳細に説明する。
図１は本考案の一実施例に係るマットカバーの裏面側の斜視図、図２は図１のマットカバーにおけるＡ−Ａ線での断面図、図３は図１のマットカバーの裏面側の平面図、図４は図１のマットカバーの分解斜視図、図５は他の実施例に係るマットカバーの展開図、図６は図５のマットカバーの裏面側の平面図である。
【００１６】
図１ないし図３に示す本考案の一実施例に係るマットカバー１０は、絨毯や座布団、クッション等のマット状物Ｍを被覆するためのものであって、カバー本体１１と、複数のスカート部２０Ａ，２０Ｂ，２０Ｃ，２０Ｄとを備える。図において、符号２８はカバー本体１１と複数のスカート部２０Ａ，２０Ｂ，２０Ｃ，２０Ｄとの縫着部である。
【００１７】
カバー本体１１は、マット状物Ｍを被覆することができる大きさの平面部１２を有し、前記マット状物Ｍの表面を保護して汚れや傷みを防止する。このカバー本体１１は、麻や綿等の適宜の布状物からなるものであり、その形状や大きさについても被覆するマット状物Ｍに応じて適宜とされる。実施例において、カバー本体１１の平面部１２は、一辺が約１９０ｃｍの略正方形状のキルティングによって形成されたものであり、約二畳分の絨毯が被覆可能とされている。図中の符号１２Ａは平面部１２の裏面，１２Ｂは平面部１２の表面を表す。
【００１８】
複数のスカート部２０Ａ，２０Ｂ，２０Ｃ，２０Ｄは、それぞれ前記カバー本体１１裏面の辺縁１３に沿って全周に亘って形成されたものであって、該各スカート部２０Ａ，２０Ｂ，２０Ｃ，２０Ｄと前記カバー本体１１の裏面側（平面部１２の裏面１２Ａ）との間にマット状物Ｍの辺縁Ｍ１を挿入することによって、前記マット状物Ｍがずれることなく被覆される。また、この複数のスカート部２０Ａ，２０Ｂ，２０Ｃ，２０Ｄでは、その全幅がカバー本体１１の大きさに応じて適宜に設定され、実施例においては、それぞれ約２０ｃｍとされている。
【００１９】
この考案のマットカバー１０にあっては、図示のように、複数の各スカート部２０Ａ，２０Ｂ，２０Ｃ，２０Ｄが一定の方向に順に重ねられていて、隣接する他のスカート部とは一側の端部２１が上側に他側の端部２２が下側となるように両端部２１，２２が重合部２５として配設される。
【００２０】
実施例において、スカート部２０Ａは、スカート部２０Ｂと一側で隣接するとともに、スカート部２０Ｄと他側で隣接する。そして、スカート部２０Ａの一側の端部２１Ａがスカート部２０Ｂの他側の端部２２Ｂの上側に重ねられ、前記スカート部２０Ａの端部２１Ａとスカート部２０Ｂの端部２２Ｂによって重合部２５Ａが構成される。また、スカート部２０Ａの他側の端部２２Ａは、スカート部２０Ｄの一側の端部２１Ｄの下側となるように重ねられ、前記スカート部２０Ａの端部２２Ａとスカート部２０Ｄの端部２１Ｄによって重合部２５Ｄが構成される。なお、スカート部２０Ｂ，２０Ｃ，２０Ｄは、上記スカート部２０Ａと同様に構成されるものであり、図の符号２５Ｂはスカート部２０Ｂの一側の端部２１Ｂがスカート部２０Ｃの他側の端部２２Ｃの上側に重なった重合部、２５Ｃはスカート部２０Ｃの一側の端部２１Ｃがスカート部２０Ｄの他側の端部２２Ｄの上側に重なった重合部を表す。
【００２１】
また、上記各スカート部２０Ａ，２０Ｂ，２０Ｃ，２０Ｄでは、その外周側の側端部２６は少なくとも前記重合部２５が縫着されており、各スカート部２０Ａ，２０Ｂ，２０Ｃ，２０Ｄの内周側の側端部２７は前記重合部２５を含み開放されているように構成される。実施例では、図示のように、各スカート部２０Ａ，２０Ｂ，２０Ｃ，２０Ｄが、その外周側の側端部２６の全周に亘って前記重合部２５を含んで縫着されている。
【００２２】
また、この実施例に係るマットカバー１０は、図４に図示しかつ請求項２の考案として規定したように、カバー本体１１の平面部１２表面１２Ｂに、その辺縁１３に沿って全周に亘って枠部１５が配設され、該枠部１５と平面部１２と各スカート部２０Ａ，２０Ｂ，２０Ｃ，２０Ｄとが外周側の側端部２６で一体に縫着されるように構成されている。このように、前記平面部１２と前記枠部１５と前記各スカート部２０Ａ，２０Ｂ，２０Ｃ，２０Ｄをそれぞれ別部材として構成すれば、枠部１５や各スカート部２０Ａ，２０Ｂ，２０Ｃ，２０Ｄを、前記平面部１２と異なる材質や色彩で形成することができ、意匠形状に凝ったマットカバー１０を容易に提供することができる。
【００２３】
さらに、このマットカバー１０は、図１及び図２に示しかつ請求項４の考案として規定したように、カバー本体１１の裏面に滑り止め部３０を形成することが好ましい。この滑り止め部３０は、形状や材質等は特に限定されるものではないが、実施例では塩化ビニル等の適宜の樹脂をカバー本体１１の裏面（平面部１２の裏面１２Ａ）に熱融着させて規則的に複数形成するように構成されている。このように、滑り止め部３０を形成すれば、被覆したマット状物Ｍから当該マットカバーがずれにくくなるので、長期間使用してもマットカバーが皺になりにくく、外観を損なうことなく好適に使用することができる。
【００２４】
上記の如く構成されたマットカバー１０にあっては、マット状物Ｍを被覆することができる大きさの平面部１２を有するカバー本体１１と、前記カバー本体１１裏面の辺縁１３に沿って全周に亘って形成された複数のスカート部２０Ａ，２０Ｂ，２０Ｃ，２０Ｄとを備えているので、マット状物Ｍの表面を完全に被覆することができ、汚れや傷み等から該マット状物Ｍを好適に保護することができる。
【００２５】
また、このマットカバー１０では、前記複数のスカート部２０Ａ，２０Ｂ，２０Ｃ，２０Ｄが一定の方向に順に重ねられていて、隣接する他のスカート部とは一側の端部２１が上側に他側の端部２２が下側となるように両端部２１，２２が重合部２５として配設されているとともに、前記各スカート部２０Ａ，２０Ｂ，２０Ｃ，２０Ｄはその外周側の側端部２６は少なくとも前記重合部２５が縫着されており、各スカート部２０Ａ，２０Ｂ，２０Ｃ，２０Ｄの内周側の側端部２７は前記重合部２５を含み開放されている。そのため、前記各重合部２５において、各スカート部２０Ａ，２０Ｂ，２０Ｃ，２０Ｄは、隣接する他のスカート部に影響されることなく、その内周側の側端部２７を自在に開放することができる。したがって、当該マットカバー１０が被覆するマット状物Ｍの厚さに関係なく好適に被覆することができ、さらに、マット状物Ｍを移動させることなく極めて簡単に当該マットカバー１０を被覆させることができる。
【００２６】
なお、本考案のマットカバーは、上記実施例で述べた構成に限るものではなく、考案の趣旨を逸脱しない範囲内において種々の変更を付加して実施することができる。例えば、前述の実施例では、絨毯や座布団、クッション等のマット状物を被覆するマットカバーとして説明したが、こたつの布団カバーや電気カーペットのカバー等としても好適に使用することが可能である。
【００２７】
また、図５及び図６に図示しかつ請求項３の考案として規定するマットカバー１０Ａのように、カバー本体１１と各スカート部２０Ａ，２０Ｂ，２０Ｃ，２０Ｄを一体に構成することもできる。図において、前記マットカバー１０と同一符号は同一の構成を表すものとして、その説明を省略する。
【００２８】
このマットカバー１０Ａは、一の生地から四隅を適宜の大きさで切り取って、カバー本体１１と各スカート部２０Ａ，２０Ｂ，２０Ｃ，２０Ｄとを一体に形成し、前記カバー本体１１と各スカート部２０Ａ，２０Ｂ，２０Ｃ，２０Ｄとの境界部２９において、前記各カート部２０Ａ，２０Ｂ，２０Ｃ，２０Ｄをそれぞれ平面部１２の裏面１２Ａ側に折り曲げるように構成される。そして、各カート部２０Ａ，２０Ｂ，２０Ｃ，２０Ｄは、それぞれ前記重合部２５が配設されるように一定の方向に順に重ねられ、外周側の側端部２６の各重合部２５が縫着部２８Ａとしてカバー本体１１に縫着される。
【００２９】
上記マットカバー１０Ａにあっては、カバー本体１１と各スカート部２０Ａ，２０Ｂ，２０Ｃ，２０Ｄとが一体に構成されているため、容易に製造することができるとともに、製造コストの低減を図ることができる。また、該マットカバー１０Ａでは、前記境界部２９が外周側の側端部２６として構成されるものであるから、前記外周側の側端部２６の各重合部２５のみを縫着するだけでよく、縫着作業が簡略化されて作業効率が向上する。
【図面の簡単な説明】
【００３０】
【図１】本考案の一実施例に係るマットカバーの裏面側の斜視図である。
【図２】図１のマットカバーにおけるＡ−Ａ線での断面図である。
【図３】図１のマットカバーの裏面側の平面図である。
【図４】図１のマットカバーの分解斜視図である。
【図５】他の実施例に係るマットカバーの展開図である。
【図６】図５のマットカバーの裏面側の平面図である。
【符号の説明】
【００３１】
１０  マットカバー
１１  カバー本体
１２  平面部
１３  辺縁
１５  枠部
２０Ａ，２０Ｂ，２０Ｃ，２０Ｄ  スカート部
２１  一側の端部
２２  他側の端部
２５  重合部
２６  外周側の側端部
２７  内周側の側端部
２８  縫着部
３０  滑り止め部
Ｍ    マット状物
【図１】
0003109492.tif 000003
【図２】
0003109492.tif 000004
【図３】
0003109492.tif 000005
【図４】
0003109492.tif 000006
【図５】
0003109492.tif 000007
【図６】
0003109492.tif 000008